(57)【要約】【課題】ファームウェアの更新にユーザーの負担がかからない電子機器を提供することにある。【解決手段】電子機器１００は、記憶部３０と、記録媒体インターフェース４０と、制御部２０とを備える。記憶部３０は、ファームウェアを記憶する。記録媒体インターフェース４０は、サーバーと通信可能な記録媒体４１と接続する。制御部２０は、記録媒体インターフェース４０を介して、サーバーから記録媒体４１にダウンロードされたファームウェアを記憶部３０にアップデートし、記憶部３０にアップデートされたファームウェアに基づいて制御を行う。制御部２０は、ファームウェアのダウンロードの進捗とアップデートの進捗とを示すフラグを更新する。制御部２０は、フラグに基づいてファームウェアのダウンロードまたはアップデートを再開する。【選択図】図２
2014191573.tif 000002
【特許請求の範囲】
【請求項１】
ファームウェアを記憶する記憶部と、
サーバーと通信可能な記録媒体と接続する記録媒体インターフェースと、
前記記録媒体インターフェースを介して、前記サーバーから前記記録媒体にダウンロードされたファームウェアを前記記憶部にアップデートし、前記記憶部にアップデートされた前記ファームウェアに基づいて制御する制御部と
を備え、
前記制御部は、前記ファームウェアの前記ダウンロードの進捗と前記アップデートの進捗とを示すフラグを更新し、前記フラグに基づいて前記ファームウェアの前記ダウンロードまたは前記アップデートを再開する、電子機器。
【請求項２】
前記フラグは、
前記ファームウェアのダウンロードを開始する際に更新されるデータ受信フラグと、
前記ファームウェアのダウンロード完了後に更新されるアップデートフラグと
を含み、
前記制御部は、前記受信フラグと前記アップデートフラグとに基づいて、
アップデートすべきファームウェアが、ファームウェアダウンロード準備状態、ファームウェアダウンロード状態、ファームウェアダウンロード完了状態およびファームウェアアップデート状態
のいずれの状態であるかを判定する、請求項１に記載の電子機器。
【請求項３】
前記フラグは、前記記録媒体に記憶される、請求項１または請求項２に記載の電子機器。
【請求項４】
前記制御部は、前記サーバーから前記記録媒体への前記ファームウェアの前記ダウンロードのタイミングを制御する、請求項１から請求項３のうち１項に記載の電子機器。
【請求項５】
前記制御部は、前記記憶部に記憶された前記ファームウェアを未使用時に、前記記録媒体から前記記憶部に前記ファームウェアをアップデートする、請求項１から請求項４のうち１項に記載の電子機器。
【請求項６】
外部機器とのデータ送受信を行う外部インターフェース部と、
前記外部インターフェース部のデータ送受信を制御するインターフェース制御部と
をさらに備える、請求項１から請求項５のうち１項に記載の電子機器。
【請求項７】
前記ダウンロードは、前記制御部の制御とは独立して行われる、請求項１から請求項６のうち１項に記載の電子機器。
【請求項８】
記録媒体インターフェースを介して、サーバーから記録媒体にダウンロードされたファームウェアを記憶部にアップデートする手順と、
前記記憶部にアップデートされた前記ファームウェアに基づいて制御を行う手順と
をコンピュータに実行させる、ファームウェア更新プログラム。
【発明の詳細な説明】
【技術分野】
【０００１】
本発明は、電子機器およびファームウェア更新プログラムに関する。
【背景技術】
【０００２】
電子機器において、機能の改善、利便性の向上を目的にファームウェアの更新（アップデート）を行う場合がある。特許文献１には、ファームウェア（プログラム）を記録した記録媒体から、画像形成装置の記憶部にファームウェアを転送することによって、ファームウェアの更新を行う画像形成装置が開示されている。
【先行技術文献】
【特許文献】
【０００３】
【特許文献１】特開２００７−１５２２３号公報
【発明の概要】
【発明が解決しようとする課題】
【０００４】
しかしながら、特許文献１に記載の画像形成装置では、新たにファームウェアのバージョンが上がった場合に、ユーザーが画像形成装置から記録媒体を抜き取り、記録媒体にファームウェアを書き込む必要があり、ユーザーの負担が大きかった。
【０００５】
本発明は上記課題を鑑みてなされたものであり、その目的は、ファームウェアを更新する際のユーザーの負担を低減させる電子機器およびファームウェア更新プログラムを提供することにある。
【課題を解決するための手段】
【０００６】
本発明に係る電子機器は、記憶部と、記録媒体インターフェースと、制御部とを備える。前記記憶部は、ファームウェアを記憶する。前記記録媒体インターフェースは、サーバーと通信可能な記録媒体と接続する。前記制御部は、前記記録媒体インターフェースを介して、前記サーバーから前記記録媒体にダウンロードされたファームウェアを前記記憶部にアップデートし、前記記憶部にアップデートされた前記ファームウェアに基づいて制御を行う。前記制御部は、前記ファームウェアの前記ダウンロードの進捗と前記アップデートの進捗とを示すフラグを更新する。前記制御部は、前記フラグに基づいて前記ファームウェアの前記ダウンロードまたは前記アップデートを再開する。
【０００７】
本発明に係るファームウェア更新プログラムは、アップデートする手順と、制御を行う手順とをコンピュータに実行させる。アップデートする手順は、記録媒体インターフェースを介して、サーバーから記録媒体にダウンロードされたファームウェアを記憶部にアップデートする。制御を行う手順は、前記記憶部にアップデートされた前記ファームウェアに基づいて制御を行う。
【発明の効果】
【０００８】
本発明によれば、電子機器のファームウェアを更新する際のユーザーの負担を低減させることができる。
【図面の簡単な説明】
【０００９】
【図１】本発明の実施形態に係る画像形成装置を示す模式図である。
【図２】本発明の実施形態に係る画像形成装置の制御基板を示す模式的なブロック図である。
【図３】本発明の実施形態に係る画像形成装置の動作工程を示すフローチャートである。
【図４】本発明の実施形態に係る画像形成装置の動作工程（再開工程）を示すフローチャートである。
【図５】フラグの状態を示す模式図である。
【発明を実施するための形態】
【００１０】
以下、図面を参照して本発明による電子機器およびファームウェア更新プログラムの実施形態を説明する。ただし、本発明は以下の実施形態に限定されない。
【００１１】
図１は、本発明の実施形態に係る画像形成装置１００を示す模式図である。以下に、本発明による電子機器の実施形態の一例として画像形成装置１００を説明する。本実施形態においては、画像形成装置１００として複写機を用いて説明するが、本発明はこれに限定されない。画像形成装置１００は、複写機、プリンタ、ファクシミリ又はこれらの機能を兼ね備えた複合機であり得る。画像形成装置１００は、定着装置１１０、給紙カセット１２０、作像部１３０、トナー補給装置１４０、用紙排出部１５０、用紙搬送部１６０、制御基板１０および画像読取装置（図示せず）を備える。
【００１２】
給紙カセット１２０には、印刷用の用紙Ｐが収容されている。複写を行う際、給紙カセット１２０内の用紙Ｐは、作像部１３０と定着装置１１０とを経由して用紙排出部１５０から排出されるように、用紙搬送部１６０によって搬送される。
【００１３】
作像部１３０では、トナー像を用紙Ｐに形成する。作像部１３０は、感光体１３１と現像装置１３２と転写装置１３３とを含む。
【００１４】
感光体１３１には、画像読取装置で生成された原稿画像の電子信号に基づいたレーザーによって静電潜像が形成される。現像装置１３２は現像ローラー１２１を有する。現像ローラー１２１は、感光体１３１にトナーを供給して静電潜像を現像させることで、感光体１３１にトナー像を形成する。トナーは、トナー補給装置１４０から現像装置１３２へ補給される。
【００１５】
転写装置１３３は、感光体１３１に形成されたトナー像を用紙Ｐに転写する。
【００１６】
定着装置１１０では、定着部材１１１と加圧部材１１２によって用紙Ｐを加熱及び加圧することで、作像部１３０において形成された未定着のトナー像を溶融させて用紙Ｐに定着させる。
【００１７】
制御基板１０には、制御部と記憶部と記録媒体インターフェースとが搭載されている。制御部は、記憶部に記憶されたファームウェアに基づいて、画像形成装置１００の動作工程を制御する。制御基板１０の構成については、図２を参照して後述する。
【００１８】
画像形成装置１００は、機能の改善および／または利便性の向上のためにファームウェアをアップデートする。画像形成装置１００は、ファームウェアを記憶部にアップデートする。このファームウェアは、サーバーと通信可能な記録媒体にサーバーからダウンロードされる。このようにして画像形成装置１００のファームウェアのアップデートは行われる。
【００１９】
図２を参照して本発明に係る画像形成装置１００の実施形態を説明する。図２は、本発明の実施形態に係る画像形成装置１００の制御基板１０を示す模式的なブロック図である。
【００２０】
制御基板１０には、制御部２０と記憶部３０とＳＤカードインターフェース（ＳＤ  Ｃａｒｄ  Ｉ／Ｆ）４０とが搭載されている。制御基板１０には、さらに、インターフェース制御部（Ｉ／Ｆ制御部）５０と外部インターフェース部（外部Ｉ／Ｆ部）５１と画像処理部６０と電源スイッチ（電源ＳＷ）６１とエンジン部６２とが搭載されている。
【００２１】
記憶部３０は、不揮発性メモリ３１とＲＡＭ３２とを有する。不揮発性メモリ３１は、例えば、データを電気的に消去および書き換え可能なフラッシュメモリである。例えば、ファームウェアは不揮発性メモリ３１に記憶されている。ＲＡＭ３２は、制御部２０がデータを処理するための作業領域として使用される。
【００２２】
制御部２０は、不揮発性メモリ３１に記憶されたファームウェアに基づいて、受信したデータから信号を生成する。そして、制御部２０は信号を画像処理部６０に出力したり、エンジン部６２および各メモリ（不揮発性メモリ３１とＲＡＭ３２）を制御したりする。画像処理部６０は、制御部２０から出力された信号を画像処理し画像処理した結果を印刷データとして出力する。
【００２３】
記録媒体インターフェースは、記録媒体を制御する。本実施形態においては、記録媒体インターフェースは、例えば、ＳＤカードインターフェース４０であり、記録媒体は、例えば、ＳＤメモリカード４１である。ＳＤメモリカード４１には無線ＬＡＮ機能が付いており、ＳＤカードインターフェース４０は、ＳＤメモリカード（ＳＤ  Ｃａｒｄ  ｗｉｔｈ  ＷＬＡＮ）４１と電気的に接続することによりデータを授受する。
【００２４】
画像形成装置１００は、ＳＤカードスロット（図示せず）を備える。ＳＤカードスロットには、ＳＤメモリカード４１が装着される。ＳＤメモリカード４１は、サーバー（図示せず）と通信可能な記録媒体である。ＳＤメモリカード４１は、外部インターフェース部５１とは別に独立してインターネットに接続され、サーバーからファームウェアをダウンロードすることができる。ＳＤメモリカード４１は不揮発性メモリであるため、画像形成装置１００の電源がオフになってもダウンロードしたファームウェアは消去されない。サーバーからＳＤメモリカード４１へのファームウェアのダウンロードのタイミングは、制御部２０によって制御されてもよい。あるいは、ＳＤメモリカード４１内部のタイマを起動し、タイマが設定時間に達するとダウンロードを開始するようにしてもよい。
【００２５】
電源スイッチ６１は、画像形成装置１００全体の電源をＯｎ／Ｏｆｆする。エンジン部６２は、画像形成装置１００の回転体に接続されるモータ等の駆動部を制御し、画像形成装置１００全体の電源管理を行う。
【００２６】
外部インターフェース部５１は、画像形成装置１００の外部とのデータ送受信を行う。例えば、画像形成装置１００とネットワーク接続するパソコンから印刷用のデータを受信する。インターフェース制御部５０は、外部インターフェース部５１のデータ送受信を制御する。
【００２７】
図２および図３を参照して本発明に係る画像形成装置１００の動作を説明する。図３は、画像形成装置１００の動作工程を示すフローチャートである。
【００２８】
まず、図３に示すＳ１００において、電源スイッチ６１を入れることにより、エンジン部６２が動作して画像形成装置１００の電源がオンになる。
【００２９】
次に、Ｓ１０２において、制御部２０は、ダウンロード開始フラグがＯＫか否かを判定する。ダウンロード開始フラグは、例えば、ＳＤメモリカード４１に記憶されている。画像形成装置１００へアップデートすべきファームウェアがサーバーに存在すると、ＳＤメモリカード４１は、サーバーからの信号をネットワーク経由で受け取り、ダウンロード開始フラグをＯＫに更新する。ダウンロード開始フラグがＯＫでない場合（Ｓ１０２：Ｎｏ）、画像形成装置１００の動作工程は再びＳ１０２に戻り、ダウンロード開始フラグがＯＫか否かの判定を繰り返す。ダウンロード開始フラグがＯＫ（Ｓ１０２：Ｙｅｓ）になると、画像形成装置１００の動作工程はＳ１０４に進む。
【００３０】
次に、Ｓ１０４において、無線ＬＡＮを経由して、サーバーからＳＤメモリカード４１にアップデートすべきファームウェアのダウンロードを開始し、Ｓ１０６において、アップデートすべきファームウェアのダウンロードが完了する。
【００３１】
次に、Ｓ１０８において、制御部２０は、アップデート開始フラグがＯＫか否かを判定する。アップデート開始フラグは、例えば、ＳＤメモリカード４１に記憶されている。画像形成装置１００へアップデートすべきファームウェアのＳＤメモリカード４１へのダウンロードが完了した後、制御部２０は、アップデート開始フラグをＯＫに更新する。アップデート開始フラグがＯＫでない場合（Ｓ１０８：Ｎｏ）、画像形成装置１００の動作工程は再びＳ１０８に戻り、アップデート開始フラグがＯＫか否かの判定を繰り返す。アップデート開始フラグがＯＫ（Ｓ１０８：Ｙｅｓ）になると、画像形成装置１００の動作工程はＳ１１０に進む。
【００３２】
次に、Ｓ１１０において、制御部２０は、ファームウェアのアップデートを実行する。制御部２０は、記憶部３０に記憶されたファームウェアを未使用時に、ＳＤメモリカード４１から記憶部３０にファームウェアをアップデートする。例えば、制御部２０は、画像形成装置１００がスリープ中にファームウェアをアップデートする。
【００３３】
次に、Ｓ１１２において、ファームウェアのアップデートが完了する。その後、画像形成装置１００の動作工程はＳ１０２に進み、新たにファームウェアが更新されてダウンロード開始フラグがＯＫになると、再びＳ１０４以降の動作が行われる。
【００３４】
図２および図３を参照して説明したように、画像形成装置１００において、制御部２０は、ＳＤメモリカード４１からアップデートすべきファームウェアを記憶部３０にアップデートする前に、サーバーから記録媒体にファームウェアをダウンロードする。したがって、画像形成装置１００の動作工程を中断させることなく任意のタイミングでファームウェアをダウンロードすることができる。
【００３５】
また、制御部２０が、サーバーから記録媒体へのダウンロードのタイミングを制御してもよい。したがって、ユーザーが作業することなくユーザーが意識しないタイミングでファームウェアをダウンロードすることができる。
【００３６】
ファームウェアがダウンロードされる記録媒体は、例えば無線ＬＡＮ機能付きＳＤメモリカードである。したがって、画像形成装置１００の電源がＯｆｆになっても、記録媒体のデータは消去されない。
【００３７】
また、制御部２０は、記憶部３０に記憶されたファームウェアを未使用時にファームウェアをアップデートする。この場合、ファームウェアアップデート時に画像形成装置１００の動作工程を中断しなくてもよい。
【００３８】
また、記憶部３０に記憶されたファームウェア更新プログラムに基づいて、コンピュータ（制御部２０）は記録媒体インターフェース４０を介してサーバーから記録媒体にダウンロードされたファームウェアを記憶部３０にアップデートする手順と、記録媒体インターフェース４０を介して記憶部３０にアップデートされたファームウェアに基づいて制御を行う手順とを実行する。
【００３９】
図３を参照して画像形成装置１００のファームウェアのダウンロードおよびアップデートについて説明した。なお図４に示すようにファームウェアのダウンロードおよびアップデート中に、画像形成装置１００の電源をＯｆｆした場合、ファームウェアのダウンロードの進捗とアップデートの進捗とを示すフラグに基づいてファームウェアのダウンロードまたはアップデートを再開する。
【００４０】
図２、図４および図５を参照して本発明に係る画像形成装置１００の動作を説明する。図４は、本発明の実施形態に係る画像形成装置１００の動作工程（再開工程）を示すフローチャートである。図５はフラグの状態を示す模式図である。
【００４１】
まず、図４に示すＳ２００において、電源スイッチ６１を入れることにより、エンジン部６２が動作して画像形成装置１００の電源がオンになる。
【００４２】
次に、Ｓ２０２において、制御部２０は、各フラグの確認を行う。フラグについて図５を参照して説明する。フラグには、データ受信フラグとアップデートフラグとがある。フラグは、ファームウェアのダウンロードの進捗とアップデートの進捗とを示す。データ受信フラグは、ファームウェアのダウンロードを開始する際に更新される。また、アップデートフラグは、ファームウェアのダウンロード完了後に更新される。
【００４３】
制御部２０は、画像形成装置１００の電源がオンになったときに、受信フラグとアップデートフラグとに基づいて、アップデートすべきファームウェアが、ファームウェアダウンロード準備状態、ファームウェアダウンロード状態、ファームウェアダウンロード完了状態およびファームウェアアップデート状態のいずれかの状態であるかを判定する。フラグは、例えばＳＤメモリカード４１に記憶されている。
【００４４】
データ受信フラグは、ダウンロード開始フラグがＯＫになると、”０”から”１”に更
新され、アップデート開始フラグがＯＫになると、”１”から”０”に更新される。また
、アップデートフラグは、アップデートすべきファームウェアのＳＤメモリカード４１へのダウンロードが完了すると”０”から”１”に更新され、アップデートすべきファーム
ウェアの記憶部３０へのアップデートが完了すると、”１”から”０”に更新される。
【００４５】
データ受信フラグが”０”、アップデートフラグが”０”である場合、制御部２０はア
ップデートすべきファームウェアがファームウェアダウンロード準備状態であると判定する。
【００４６】
また、画像形成装置１００へアップデートすべきファームウェアがサーバーに存在すると、ダウンロード開始フラグがＯＫとなりデータ受信フラグが”０”から”１”へ更新さ
れる。その結果、データ受信フラグが”１”、アップデートフラグが”０”となり、制御
部２０はアップデートすべきファームウェアはファームウェアダウンロード状態であると判定する。
【００４７】
また、アップデートすべきファームウェアのＳＤメモリカード４１へのダウンロードが完了すると、アップデートフラグが”０”から”１”へ更新される。その結果、データ受
信フラグが”１”、アップデートフラグが”１”となり、制御部２０はアップデートすべ
きファームウェアはファームウェアダウンロード完了状態であると判定する。
【００４８】
また、アップデート開始フラグがＯＫとなると、データ受信フラグが”１”から”０”
へ更新される。その結果、データ受信フラグが”０”、アップデートフラグが”１”とな
り、制御部２０はアップデートすべきファームウェアはファームウェアアップデート状態であると判定する。
【００４９】
ファームウェアのダウンロードおよびアップデート中に画像形成装置１００の電源が落ちた場合、画像形成装置１００を再起動するときに、制御部２０は、フラグに基づいてファームウェアのダウンロードまたはアップデートを再開する。
【００５０】
初めに電源が通常にオフされた場合を説明する。この場合、データ受信フラグが”０”
を示し、アップデートフラグが”０”を示し、制御部２０はファームウェアダウンロード
準備状態と判定する。ファームウェアダウンロード準備状態と判定されている場合は、画像形成装置１００の動作工程はＳ２０４に進む。
【００５１】
Ｓ２０４において、制御部２０は、ダウンロード開始フラグがＯＫか否かを判定する。ダウンロード開始フラグがＯＫでない場合（Ｓ２０４：Ｎｏ）、画像形成装置１００の動作工程は再びＳ２０４に戻り、ダウンロード開始フラグがＯＫか否かの判定を繰り返す。ダウンロード開始フラグがＯＫ（Ｓ２０４：Ｙｅｓ）になると、画像形成装置１００の動作工程はＳ２０６に進む。
【００５２】
次に、制御部２０は、Ｓ２０６において、データ受信フラグを”０”から”１”に更新
し、画像形成装置１００の動作工程はＳ２０８に進む。Ｓ２０８においてＳＤメモリカード４１はアップデートすべきファームウェアをＳＤメモリカード４１に無線ＬＡＮを経由してサーバーからダウンロードする。
【００５３】
次に、Ｓ２１０において、アップデートすべきファームウェアのダウンロードが完了すると、制御部２０は、Ｓ２１２において、アップデートフラグを”０”から”１”に更新
し、画像形成装置１００の動作工程はＳ２１４に進む。
【００５４】
Ｓ２１４において、制御部２０は、アップデート開始フラグがＯＫか否かを判定する。アップデート開始フラグがＯＫでない場合（Ｓ２１４：Ｎｏ）、画像形成装置１００の動作工程は再びＳ２１４に戻り、アップデート開始フラグがＯＫか否かの判定を繰り返す。アップデート開始フラグがＯＫ（Ｓ２１４：Ｙｅｓ）になると、画像形成装置１００の動作工程はＳ２１６に進む。Ｓ２１６において、制御部２０は、データ受信フラグを”１”
から”０”に更新し、画像形成装置１００の動作工程はＳ２１８に進む。
【００５５】
Ｓ２１８において、制御部２０は、ファームウェアのアップデートを開始し、Ｓ２２０において、ファームウェアのアップデートが完了する。アップデートが完了すると、Ｓ２２２において、制御部２０はアップデートフラグを”１”から”０”に更新する。
【００５６】
その後、画像形成装置１００の動作工程はＳ２０４に進み、新たにファームウェアが更新されてダウンロード開始フラグがＯＫになると、再びＳ２０４以降の動作が行われる。
【００５７】
続いて、ファームウェアのダウンロード中またはアップデート中に電源がＯｆｆした場合について説明する。その場合、画像形成装置１００の動作工程はＳ２０２において、制御部２０は、各フラグを確認し、フラグに基づいてファームウェアのダウンロードまたはアップデートを再開する。
【００５８】
例えば、アップデートすべきファームウェアをＳＤメモリカード４１に無線ＬＡＮを経由してサーバーからダウンロード中に画像形成装置１００の電源がオフした場合（Ｓ２０８）、データ受信フラグが”１”、アップデートフラグが”０”であるので、制御部２０
は、ファームウェアダウンロード状態と判定し、図４に示す開始工程Ａ（すなわちＳ２０８）からファームウェアのダウンロードを再開する。
【００５９】
また、アップデートすべきファームウェアのダウンロードが完了（Ｓ２１０）した後、ファームアップデートを実行する前に画像形成装置１００の電源がオフした場合、データ受信フラグが”１”、アップデートフラグが”１”であるので、制御部２０は、ファーム
ウェアダウンロード完了状態と判定し、図４に示す開始工程Ｂ（すなわちＳ２１４）からファームウェアのアップデートを再開する。
【００６０】
また、ファームアップデート実行中に電源がＯｆｆした場合（Ｓ２１８）、データ受信フラグが”０”、アップデートフラグが”１”であるので、制御部２０は、ファームウェ
アアップデート状態と判定し、図４に示す開始工程Ｃ（すなわちＳ２１８）からファームウェアのアップデートを再開する。
【００６１】
図２、図４および図５を参照して説明したように、制御部２０は、ファームウェアのダウンロードの進捗とアップデートの進捗とを示すフラグを更新し、フラグに基づいてファームウェアのダウンロードまたはアップデートを再開する。したがって、ファームウェアのダウンロード中またはアップデート中に画像形成装置１００の電源がＯｆｆした場合でも、画像形成装置１００の再起動の時間を減らすことができる。
【００６２】
また、フラグは記録媒体（例えば無線ＬＡＮ機能付きＳＤメモリカード）に記憶されているため、画像形成装置１００の電源がＯｆｆしてもフラグのデータは消去されない。したがって、制御部２０は、フラグに基づいてファームウェアのダウンロードまたはアップデートを再開することができる。
【００６３】
なお本発明に係る電子機器の実施形態として画像形成装置１００を用いて説明したが、電子機器は、例えば、デジタルカメラおよび携帯電話でもあり得る。その場合、電子機器は、インターフェース制御部（Ｉ／Ｆ制御部）５０と外部インターフェース部（外部Ｉ／Ｆ部）５１を備えなくてもよい。
【産業上の利用可能性】
【００６４】
本発明の電子機器は、ファームウェアの更新が必要な電子機器に好適に用いられる。
【符号の説明】
【００６５】
Ｐ          用紙
１０        制御基板
２０        制御部
３０        記憶部
３１        不揮発性メモリ
３２        ＲＡＭ
４０        ＳＤカードインターフェース（ＳＤ  Ｃａｒｄ  Ｉ／Ｆ）
４１        ＳＤメモリカード
５０        インターフェース制御部（Ｉ／Ｆ制御部）
５１        外部インターフェース部（外部Ｉ／Ｆ部）
６０        画像処理部
６１        電源スイッチ（電源ＳＷ）
１００      画像形成装置
１１０      定着装置
１１１      定着部材
１１２      加圧部材
１２０      給紙カセット
１３０      作像部
１３１      感光体
１３２      現像装置
１３３      転写装置
１４０      トナー補給装置
１５０      用紙排出部
【図１】
2014191573.tif 000003
【図２】
2014191573.tif 000004
【図３】
2014191573.tif 000005
【図４】
2014191573.tif 000006
【図５】
2014191573.tif 000007